(57)【特許請求の範囲】
【請求項１】
複数のユニットを収納する配電盤において、床面上に配置される回路コネクタ装置と、前記回路コネクタ装置が配置された床面とほぼ同一高さレベルの床面上に配置され前記床面上を奥行方向に移動して前記回路コネクタ装置と接続されるユニットと、前記複数のユニットを左右に仕切る仕切板とを備え、前記ユニットの上部フレームと対向して奥行方向に延在し、前記ユニットの奥行方向への移動時に前記ユニットの上方及び左右への移動を規制するガイド部を前記仕切板の上部折り曲げにより構成し、前記仕切板と一体化したことを特徴とする配電盤。
【請求項２】
複数のユニットを収納する配電盤において、床面上に配置される回路コネクタ装置と、前記回路コネクタ装置が配置された床面とほぼ同一高さレベルの床面上に配置され前記床面上を奥行方向に移動して前記回路コネクタ装置と接続されるユニットと、前記複数のユニットを左右に仕切る仕切板とを備え、前記ユニットの上部フレームと対向して奥行方向に延在し、前記ユニットの奥行方向への移動時に前記ユニットの上方への移動及び左右への振れを規制するガイド部を前記仕切板の上部に設けられた断面がコ字状の板状部材により構成し、前記断面コ字状の板状部材により形成される案内溝に前記ユニットの上部フレームを係合するようにしたことを特徴とする配電盤。
【発明の詳細な説明】
【０００１】
【発明の属する技術分野】
この発明は、コントロールセンタなどの配電盤におけるユニットのガイドの構造に関するものである。
【０００２】
【従来の技術】
従来技術による複数のユニットを収納するコントロールセンタでは、ユニット下部にガイドがあり、そのガイドを使い、回路コネクタ装置と接続される。
【０００３】
【発明が解決しようとする課題】
このように、従来技術によるコントロールセンタにおけるガイドは、ユニットの下部のみにあったため、回路コネクタ装置との接続の時、取付上下精度調整が必要であった。
【０００４】
この発明は、ユニットと回路コネクタ装置との接続を的確かつ適切に行える配電盤を得ようとするものである。
【０００５】
【課題を解決するための手段】
第１の発明に係る配電盤では、複数のユニットを収納する配電盤において、床面上に配置される回路コネクタ装置と、前記回路コネクタ装置が配置された床面とほぼ同一高さレベルの床面上に配置され前記床面上を奥行方向に移動して前記回路コネクタ装置と接続されるユニットと、前記複数のユニットを左右に仕切る仕切板とを備え、前記ユニットの上部フレームと対向して奥行方向に延在し、前記ユニットの奥行方向への移動時に前記ユニットの上方及び左右への移動を規制するガイド部を前記仕切板の上部折り曲げにより構成し、前記仕切板と一体化したものである。
【０００７】
第２の発明に係る配電盤では、複数のユニットを収納する配電盤において、床面上に配置される回路コネクタ装置と、前記回路コネクタ装置が配置された床面とほぼ同一高さレベルの床面上に配置され前記床面上を奥行方向に移動して前記回路コネクタ装置と接続されるユニットと、前記複数のユニットを左右に仕切る仕切板とを備え、前記ユニットの上部フレームと対向して奥行方向に延在し、前記ユニットの奥行方向への移動時に前記ユニットの上方への移動および左右への振れを規制するガイド部を前記仕切板の上部に設けられた断面がコ字状の板状部材により構成し、前記断面コ字状の板状部材により形成される案内溝に前記ユニットの上部フレームを係合するようにしたものである。
【０００８】
【発明の実施の形態】
実施の形態１．
この発明による実施の形態を図１ないし図３について説明する。図１は、この発明による実施の形態における構成を示す斜視図である。図２は、この発明による実施の形態におけるガイド部の構成を示す拡大斜視図である。図３は、この発明による実施の形態を示す図２のIII−III線における拡大断面図である。図中、同一符号は同一または相当部分を示す。
【０００９】
図１において、１はコントロールセンタからなる配電盤に複数の機能ユニットを収納するため盤内部を左右に仕切る仕切板、１ａは仕切板１のガイド部、２は回路コネクタ装置、２ａは主回路コネクタ装置、２ｂは制御回路コネクタ装置、３はユニット上下仕切板、４はユニットフレーム、５は機能ユニットである。
【００１０】
機能ユニット５は、モータの起動制御などを行う電磁開閉器、および、操作ハンドルを有する遮断器、ならびに、機能ユニット５の内部回路を回路コネクタ装置２に接続する主回路コネクタおよび制御回路コネクタを備えている。
負荷側主回路コネクタ装置２は上下仕切板３により形成される床面に配置されている。機能ユニット５も、上下仕切板３により形成される床面に配置され、負荷側主回路コネクタ装置２が配置された床面とほぼ同一高さレベルの床面上に配置される。
【００１１】
機能ユニット５は、その引出し状態において、図１に示す引出し位置に移動されており、挿入接続時には、上下仕切板３により形成される床面上を盤の奥行方向に移動して、その主回路コネクタ及び制御回路コネクタが主回路コネクタ装置２ａ及び制御回路コネクタ装置２ｂに挿入され、接続状態となる。
【００１２】
仕切板１には、図２に拡大斜視図を示すように、その上部が折り曲げられ、盤の奥行方向に延在するガイド部１ａが一体に形成されている。仕切板１のガイド部１ａは、図３に拡大断面を示す通り、断面コ字状に形成され、ガイド溝１ｂが形成されている。
【００１３】
機能ユニット５の盤の奥行方向への移動時において、機能ユニット５の上部に設けられた上部フレーム４が仕切板１のガイド部１ａに形成されたガイド溝１ｂの内部に係合した状態で機能ユニット５が移動し、機能ユニット５は仕切板３により形成される床面上を仕切板１のガイド部１ａによって上方および左右への移動を規制された状態で盤の奥行方向へ案内移動される。
機能ユニット５の奥行方向への移動による挿入接続状態で、機能ユニット５の回路コネクタは、仕切板３により形成される床面上に固定配置された回路コネクタ装置２に、高さレベル調整を必要とすることなく、確実に接続される。
【００１４】
この発明による実施の形態においては、図１に示すように、ユニット５と回路コネクタ装置２をユニット上下仕切板３の同一平面上に配置としている。
また、ユニットフレーム４とガイド１ａをほぼ同一高さレベルとしている。
このため、ユニット５と回路コネクタ装置２の調整が不要となる。
また、ガイド１ａを上部に設け、ガイド１ａと仕切板１を一体化とすることにより、部品点数を少なくすることができ、構造を簡単にすることができる。
【００１５】
以上のように、この発明による実施の形態では、ユニットと回路コネクタ装置を同一床面上に配置したため、ユニット挿入時にユニットと回路コネクタ装置を確実に接続することができる。
また、ガイドと仕切板を一体化したため、部品点数が少なくなり、構造が簡単にできる。
【００１６】
この発明による実施の形態によれば、複数の機能ユニット５を収納するコントロールセンタからなる配電盤において、仕切板３からなる床面上に配置される回路コネクタ装置２と、前記回路コネクタ装置２が配置された床面とほぼ同一高さレベルの仕切板３からなる床面上に配置され前記床面上を奥行方向に移動して前記回路コネクタ装置２と接続される機能ユニット５と、前記複数の機能ユニット５を左右に仕切る仕切板１とを備え、前記機能ユニット５の上部フレーム４と対向して奥行方向に延在し、前記機能ユニット５の奥行方向への移動時に前記機能ユニット５の上方及び左右への移動を規制するガイド部１ａを前記仕切板１の上部折り曲げにより構成し、前記仕切板１と一体化したので、機能ユニットと回路コネクタ装置との接続を的確かつ適切に行える配電盤を得ることができる。
【００１７】
また、この発明による実施の形態によれば、複数の機能ユニット５を収納するコントロールセンタからなる配電盤において、仕切板３からなる床面上に配置される回路コネクタ装置２と、前記回路コネクタ装置２が配置された床面とほぼ同一高さレベルの仕切板３からなる床面上に配置され前記床面上を奥行方向に移動して前記回路コネクタ装置と接続される機能ユニットと、前記複数の機能ユニット５を左右に仕切る仕切板１とを備え、前記機能ユニット５の上部フレーム４と対向して奥行方向に延在し、前記機能ユニット５の奥行方向への移動時に前記機能ユニット５の上方への移動および左右への振れを規制するガイド部１ａを断面がコ字状の板状部材により構成して仕切板１の上部に一体に設け、前記ガイド部１ａ断面コ字状の板状部材により形成される案内溝１ｂに前記機能ユニット５の上部フレーム４を係合するようにしたので、機能ユニットと回路コネクタ装置との接続を的確かつ適切に行える配電盤を得ることができる。
【００１８】
【発明の効果】
第１の発明によれば、複数のユニットを収納する配電盤において、床面上に配置される回路コネクタ装置と、前記回路コネクタ装置が配置された床面とほぼ同一高さレベルの床面上に配置され前記床面上を奥行方向に移動して前記回路コネクタ装置と接続されるユニットと、前記複数のユニットを左右に仕切る仕切板とを備え、前記ユニットの上部フレームと対向して奥行方向に延在し、前記ユニットの奥行方向への移動時に前記ユニットの上方および左右への移動を規制するガイド部を前記仕切板の上部折り曲げにより構成し、前記仕切板と一体化したので、ユニットと回路コネクタ装置との接続を的確かつ適切に行える配電盤を得ることができる。
【００２０】
第２の発明によれば、複数のユニットを収納する配電盤において、床面上に配置される回路コネクタ装置と、前記回路コネクタ装置が配置された床面とほぼ同一高さレベルの床面上に配置され前記床面上を奥行方向に移動して前記回路コネクタ装置と接続されるユニットと、前記複数のユニットを左右に仕切る仕切板とを備え、前記ユニットの上部フレームと対向して奥行方向に延在し、前記ユニットの奥行方向への移動時に前記ユニットの上方への移動および左右への振れを規制するガイド部を前記仕切板の上部に設けられた断面がコ字状の板状部材により構成し、前記断面コ字状の板状部材により形成される案内溝に前記ユニットの上部フレームを係合するようにしたので、ユニットと回路コネクタ装置との接続を的確、かつ、適切に行える配電盤を得ることができる。
【図面の簡単な説明】
【図１】  この発明による実施の形態における構成を示す斜視図である。
【図２】  この発明による実施の形態におけるガイド部の構成を示す拡大斜視図である。
【図３】  この発明による実施の形態を示す図２のIII−III線における拡大断面図である。
【符号の説明】
１  仕切板、１ａ  ガイド部、１ｂ  ガイド溝、２  回路コネクタ装置、２ａ主回路コネクタ装置、２ｂ  制御回路コネクタ装置、３  ユニット上下仕切板、４  ユニットフレーム、５  機能ユニット。
【図１】
0004102053.tif 000002
【図２】
0004102053.tif 000003
【図３】
0004102053.tif 000004